【手続補正書】
【提出日】平成15年7月16日(2003.7.16)
【手続補正１】
【補正対象書類名】明細書
【補正対象項目名】特許請求の範囲
【補正方法】変更
【補正の内容】
【特許請求の範囲】
【請求項１】
情報記録媒体に記録されている情報を再生する情報再生装置において、
上記情報記録媒体から再生した情報の種類を判別する判別手段と、
この判別手段の判別結果に基づいて複数の認証相手の１つを認証相手と設定する設定手段と、
を具備したことを特徴とする情報再生装置。
【請求項２】
情報記録媒体に記録されている情報を再生する情報再生装置において、
上記情報再生装置以外の特定の認証相手に対して情報の伝送を行う通信手段と、
この通信手段を用いて上記認証相手に対して認証を行う認証手段と、
を具備したことを特徴とする情報再生装置。
【請求項３】
認証処理を行う認証処理制御部と認証処理の内容を記憶する認証情報記憶部とを具備し、
上記認証処理制御部による認証処理の履歴を上記認証情報記憶部に逐次記憶することにより、複数の認証相手との間の並行認識処理を可能とすることを特徴とする認証装置。
【請求項４】
複数の認証相手から個々に第１の暗号鍵を受け取る受け取り手段と、
複数の認証相手に対して個々の第２の暗号鍵を発行する発行手段と、
上記認証相手から受け取った第１の暗号鍵と認証相手に対して発行した第２の暗号鍵を用いて個々の認証相手との間で共通の暗号鍵を作成する作成手段と、
複数の認相手に対して別々に上記各手段に対する処理の履歴を記憶する記憶手段と、
を具備したことを特徴とする認証装置。
【請求項５】
複数の認証相手から個々に第１の暗号鍵を受け取るステップと、
複数の認証相手に対して個々の第２の暗号鍵を発行するステップと、
上記認証相手から受け取った第１の暗号鍵と認証相手に対して発行した第２の暗号鍵を用いて個々の認証相手との間で共通の暗号鍵を作成するステップとを有し、
複数の認証相手に対して別々に上記各ステップに対する処理の履歴を逐次記憶し、この記憶されている処理の履歴により、複数の認証処理を並行して実行することを特徴とする認証装置。
【請求項６】
少なくとも暗号鍵の発行とこの発行される暗号鍵に基づいた情報の暗号化と上記発行される暗号鍵に基づいた情報の復号化を行う認識装置において、
上記暗号鍵の発行、情報の暗号化、情報の復号化を行う際に用いるランダム信号を発生する発生手段を具備していることを特徴とする認証装置。
【請求項７】
認証相手からの第１の暗号鍵を受け取る受け取り手段と、
認証相手に対する第２の暗号鍵を発行する発行手段と、
上記認証相手から受け取った第１の暗号鍵と認証相手に対して発行した第２の暗号鍵を用いて認証相手との間で共通の第３の暗号鍵を作成する作成手段と、
情報を上記第３の暗号鍵を用いて暗号化する暗号化手段と、
暗号化されている情報を上記第３の暗号鍵を用いて復号化する復号化手段とを具備し、
上記作成手段、暗号化手段、復号化手段が１つの回路で構成されることを特徴とする認証装置。
【請求項８】
情報を再生する情報再生装置と、この情報再生装置により再生される情報を処理する情報処理回路と、上記情報再生装置と上記情報処理回路を制御するメインＣＰＵとからなる情報処理システムにおいて、
上記メインＣＰＵを介在せずに、上記情報再生装置と上記情報処理回路との間で相互認証を行うことを特徴とする情報処理システム。
【請求項９】
第１の装置と複数の第２の装置の間で相互認証を行うことにより情報の伝送を行う情報処理システムにおいて、
上記第１の装置が、
識別用の情報を出力する第１の出力手段と、
この第１の出力手段に応答して上記第２の装置から供給される第１の暗号化キーに基づいて、あらかじめ記憶されている第２の暗号化キーを暗号化する第１の暗号化手段と、
上記識別用の情報に基づいて第３の暗号化キーを作成する第１の作成手段と、上記第１の暗号化手段により暗号化された第２の暗号化キーと、上記第１の作成手段により作成された第３の暗号化キーとを出力する第２の出力手段と、
この第２の出力手段に応答して上記第２の装置から供給される暗号化されている第４の暗号化キーを上記作成手段により作成された第３の暗号化キーを用いて復号化する第１の復号化手段と、
この第１の復号化手段により復号化された第４の暗号化キーと上記第２の暗号化キーとに基づいて共通鍵を生成する第１の生成手段と、
この第１の生成手段により生成された共通鍵を用いて情報の符号化、復号化を行う第１の処理手段とからなり、
上記第２の装置が、
上記第１の装置から供給される上記識別用の情報に基づいて第１の暗号化キーを作成する第２の作成手段と、
この第２の作成手段により作成された第１の暗号化キーとを出力する第３の出力手段と、
この第３の出力手段に応答して上記第１の装置から供給される第３の暗号化キーに基づいて、あらかじめ記憶されている第４の暗号化キーを暗号化する第２の暗号化手段と、
この第２の暗号化手段により暗号化された第４の暗号化キーを出力する第４の出力手段と、
上記第３の出力手段に応答して上記第１の装置から供給される第２の暗号化キーを上記第２の作成手段により作成された第１の暗号化キーを用いて復号化する第２の復号化手段と、
この第２の復号化手段により復号化された第２の暗号化キーと上記第４の暗号化キーとに基づいて共通鍵を生成する第２の生成手段と、
この第２の生成手段により生成された共通鍵を用いて情報の符号化、復号化を第２の処理手段とからなる
ことを特徴とする情報処理システム。
【請求項１０】
第１の装置と複数の第２の装置の間で相互認証を行うことにより情報の伝送を行う情報処理システムにおいて、
上記第１の装置が、
ＡＧＩＤ、設定エリア情報、ストリームＩＤからなる識別用の情報を出力する第１の出力手段と、
時変情報に基づいて第１の暗号化キーを生成する第１の生成手段と、
上記第１の出力手段に応答して上記第２の装置から供給される暗号化されている第１のチャレンジキーを上記識別用の情報からなる合成キーに基づいて復号化する第１の復号化手段と、
この第１の復号化手段により復号化された第１のチャレンジキーに基づいて、上記第１の生成手段により生成される第１の暗号化キーを暗号化する第１の暗号化手段と、
時変情報に基づいて第２のチャレンジキーを生成する第２の生成手段と、
上記識別用の情報からなる合成キーに基づいて、上記第２の生成手段により生成される第２のチャレンジキーを暗号化する第２の暗号化手段と、
上記第１の暗号化手段により暗号化された第１の暗号化キーと、上記第２の暗号化手段により暗号化された第２のチャレンジキーとを出力する第２の出力手段と、
この第２の出力手段に応答して上記第２の装置から供給される暗号化されている第２の暗号化キーを上記第２の生成手段により生成された第２のチャレンジキーを用いて復号化する第２の復号化手段と、
この第２の復号化手段により復号化された第２の暗号化キーと上記第１の生成手段により生成される第１の暗号化キーとに基づいて共通鍵を生成する第３の生成手段と、
この第３の生成手段により生成された共通鍵を用いて情報の符号化、復号化を行う第１の処理手段とからなり、
上記第２の装置が、
上記第１の装置から供給される上記識別用の情報に基づいて第１のチャレンジキーを生成する第４の生成手段と、
この第４の生成手段により生成された第１のチャレンジキーとを出力する第３の出力手段と、
この第３の出力手段に応答して上記第１の装置から供給される暗号化されている第２のチャレンジキーを、上記第１の装置から供給される上記識別用の情報からなる合成キーに基づいて、復号化する第３の復号化手段と、
時変情報に基づいて第２の暗号化キーを生成する第５の生成手段と、
上記第３の復号化手段により復号化された第２のチャレンジキーに基づいて、上記第５の生成手段により生成される第２の暗号化キーを暗号化する第３の暗号化手段と、
この第３の暗号化手段により暗号化された第２の暗号化キーを出力する第４の出力手段と、
上記第３の出力手段に応答して上記第１の装置から供給される暗号化されている第１の暗号化キーを上記第４の生成手段により生成された第１のチャレンジキーを用いて復号化する第４の復号化手段と、
この第４の復号化手段により復号化された第１の暗号化キーと上記第５の生成手段により生成される第２の暗号化キーとに基づいて共通鍵を生成する第６の生成手段と、
この第６の生成手段により生成された共通鍵を用いて情報の符号化、復号化を行う第２の処理手段とからなる
ことを特徴とする情報処理システム。
【手続補正２】
【補正対象書類名】明細書
【補正対象項目名】００２２
【補正方法】変更
【補正の内容】
【００２２】
【課題を解決するための手段】
この発明の情報再生装置は、情報記録媒体に記録されている情報を再生するものにおいて、上記情報記録媒体から再生した情報の種類を判別する判別手段と、この判別手段の判別結果に基づいて複数の認証相手の１つを認証相手と設定する設定手段からなる。


【手続補正３】
【補正対象書類名】明細書
【補正対象項目名】００２３
【補正方法】削除
【補正の内容】